(57)【特許請求の範囲】
【請求項１】
上下階床に跨って傾斜して設置された既設乗客コンベアの既設本体枠に、新設乗客コンベアを組込んで構成した乗客コンベアにおいて、前記新設乗客コンベアの新設本体枠を構成する上辺材の傾斜角度を前記既設本体枠を構成する上辺材の傾斜角度よりも大きくするとともに、前記新設乗客コンベアの手摺駆動装置を、前記既設本体枠の上辺材よりも上方で新設本体枠の内側に設置したことを特徴とする乗客コンベア。
【請求項２】
上下階床に跨って傾斜して設置された既設乗客コンベアの既設本体枠に、新設乗客コンベアを組込んで構成した乗客コンベアにおいて、前記新設乗客コンベアの新設本体枠を構成する上辺材の傾斜角度を前記既設本体枠を構成する上辺材の傾斜角度よりも大きくするとともに、前記新設乗客コンベアの手摺駆動装置を、前記既設本体枠の傾斜部よりも上方で新設本体枠の上部水平部に対向する位置に設置したことを特徴とする乗客コンベア。
【請求項３】
上下階床に跨って傾斜して設置された既設乗客コンベアの既設本体枠に、新設乗客コンベアを組込んで構成した乗客コンベアにおいて、前記新設乗客コンベアの新設本体枠を構成する上辺材の傾斜角度を前記既設本体枠を構成する上辺材の傾斜角度よりも大きくするとともに、前記新設乗客コンベアの手摺駆動装置の外側部に、前記新設本体枠の側枠と、前記既設本体枠の上辺材と、前記既設本体枠の外側を覆う側部外装板と、前記新設本体枠の側枠を構成する上辺材を覆う外デッキカバーとで囲まれた空間を設けたことを特徴とする乗客コンベア。
【請求項４】
上下階床に跨って傾斜して設置された既設乗客コンベアの既設本体枠に、新設乗客コンベアを組込んで構成した乗客コンベアにおいて、前記新設乗客コンベアの踏板と移動手摺の移動軌跡の傾斜部の傾斜角度を既設本体枠の傾斜角度よりも大きくし、前記新設乗客コンベアの手摺駆動装置を前記踏板の移動軌跡の傾斜部と上部水平部との凸曲線区間の近傍に設置したことを特徴とする乗客コンベア。
【請求項５】
上下階床に跨って傾斜して設置された既設乗客コンベアの既設本体枠に、新設乗客コンベアを組込んで構成した乗客コンベアにおいて、前記新設乗客コンベアの新設本体枠を構成する上辺材の傾斜角度を前記既設本体枠を構成する上辺材の傾斜角度よりも大きくするとともに、前記二つの上辺材の夾角部の最大開口寸法部近傍で前記新設本体枠内に前記新設乗客コンベアの手摺駆動装置を配置したことを特徴とする乗客コンベア。
【請求項６】
上下階床に跨って傾斜して設置され第１上部水平部と第１傾斜部と第１下部水平部とを有する既設乗客コンベアの既設本体枠に、無端状に連結されて回動する複数の踏段と、これら踏段と同期して回動する無端状の移動手摺と、この移動手摺を駆動する手摺駆動装置とを支持する新設乗客コンベアの新設本体枠を組込んで構成した乗客コンベアにおいて、前記新設本体枠は、第２上部水平部と第２傾斜部と第２下部水平部とを有し、前記第２傾斜部は、前記第１傾斜部の傾斜角度よりも大きい傾斜角度を有し、前記第２下部水平部は、前記第１下部水平部内に上部が水平となるように組込まれ、前記第２上部水平部は、前記第１傾斜部の上部から前記第１上部水平部内に上部が水平となるように組込まれ、前記第２上部水平部内の前記第２傾斜部寄りに前記手摺駆動装置を配置したことを特徴とする乗客コンベア。
【発明の詳細な説明】
技術分野
本発明は既設の乗客コンベアの既設本体枠に新設の乗客コンベアを組込んで構成した乗客コンベアに関する。
背景技術
従来、既設の乗客コンベアに代えて意匠性，安全性，制御性能の優れた新設乗客コンベアを設置する場合、例えば特開昭５８−１５２７８２号公報や特開昭５８−１５２７７９号公報に開示されているように、既設乗客コンベアの既設本体枠を利用して新設乗客コンベアを設置する技術は周知である。
上記従来の技術は、乗客コンベアが設置される建築物を大幅に改造する必要がない点で据付性に優れた技術である。しかし、移動手摺を駆動する手摺駆動装置が新設本体枠の側枠と既設本体枠の側枠との二重の側枠で覆われる構造となるので、この手摺駆動装置の保守点検に際しては、二重の本体枠の外側から作業を行うことができない。そのために、保守点検は、スカートガードを外して新設本体枠の内側から狭い空間を利用して作業をしなければならず、その作業は極めて厄介であった。
発明の開示
本発明の目的は、既設の乗客コンベアの既設本体枠を利用して設置しても手摺駆動装置の保守点検作業を容易に行える乗客コンベアを提供することにある。
本発明の別の目的は、据付性に優れた乗客コンベアを提供することにある。
本発明は、上記目的を達成するために、上下階床に跨って傾斜して設置された既設乗客コンベアの既設本体枠に、新設乗客コンベアを組込んで構成した乗客コンベアにおいて、前記新設乗客コンベアの新設本体枠の傾斜角度を前記既設本体枠の傾斜角度よりも大きくしたのである。
上記構成によれば、既設本体枠よりも上方に出張った新設本体枠に手摺駆動装置を設置することができ、その結果、手摺駆動装置の保守点検作業を行うに際し、既設本体枠が障害物になることはなく、保守点検作業を新設本体枠の内側および外側から容易に行うことができる。
また、既設本体枠よりも新設本体枠の傾斜角度を大きくすることにより、新設乗客コンベアの全長が短くなり、その結果、新設本体枠の組込みに際し、既設本体枠の大きな改造を必要とすることなく、容易に組込みを行うことができる。
発明を実施するための最良の形態
以下本発明の乗客コンベアの一実施の形態を第１図〜第５図に示すエスカレーターについて説明する。
既設エスカレーターの既設本体枠１は、建屋内の下階床Ｆ１と上階床Ｆ２とに跨って傾斜して設置されており、下階床Ｆ１に水平に連なる第１下部水平部２と、上階床Ｆ２に水平に連なる第１上部水平部３と、これらを連結する第１傾斜部４とから構成されており、既設エスカレーターの構成部品のほとんどが撤去されている。
この既設本体枠１の第１下部水平部２と第１上部水平部３の端部には、係合部材２Ｅ，３Ｅが設けられており、これを下階床Ｆ１及び上階床Ｆ２の建屋梁５，６に係合させて装架している。
また、既設本体枠１の第１傾斜部４の水平面に対する傾斜角度θ１は、特殊な用途に用いられるエスカレーターを除き、一般には３０°に設定されている。
前記既設本体枠１の断面形状は、左右一対の側枠７Ａ，７Ｂと、これら一対の側枠７Ａ，７Ｂを下部で連結する底辺材８とによって、横内幅Ｗ１、深さｈ１の略Ｕ型に形成され、新設エスカレーター収納空間を形成している。
前記側枠７Ａ，７Ｂの夫々は、上辺材９ａと、この上辺材９ａに対して間隔をおいて下方に位置する下辺材９ｂと、これら上辺材９ａと下辺材９ｂとを連結する縦材９ｃとで構成されている。
さらに、前記既設本体枠１は、長手方向の中間部Ｘで、ボルト１０によって接合される分割構造となっている。
一方、新設エスカレーターの新設本体枠１１は、既設本体枠１と同じように、下階床Ｆ１に水平に連なる第２下部水平部１２と、上階床Ｆ２に水平に連なる第２上部水平部１３と、これらを連結する第２傾斜部１４とから構成されている。そして、前記新設本体枠１１の第２傾斜部１４の水平面に対する傾斜角度θ２は、３５°に設定されている。また、第２下部水平部１２と第２上部水平部１３とは夫々既設本体枠１の第１下部水平部２と第１上部水平部３内に収納され、下階床Ｆ１及び上階床Ｆ２に水平に連なる。ただ、第２傾斜部１４の傾斜角度θ２が既設枠体１の第１傾斜部４の傾斜角度θ１よりも大きく急勾配となっているので、新設本体枠１１の第２上部水平部１３は既設枠体１の第１傾斜部４側にまで張出している。
前記新設本体枠１１の断面形状は、左右一対の側枠１５Ａ，１５Ｂと、これら側枠１５Ａ，１５Ｂを下部及び中間部で連結する底辺材１６と横材１７とよりなる。前記側枠１５Ａ，１５Ｂの夫々は、上辺材１８ａと、この上辺材１８ａに対して間隔をおいて下方に位置する下辺材１８ｂと、これら上辺材１８ａと下辺材１８ｂとを連結する縦材１８ｃとで構成されている。
さらに、前記新設本体枠１は、長手方向の中間部Ｙで、適宜な連結手段によって接合される分割構造となっている。
上記新設本体枠１１によって、横外幅Ｗ２、深さｈ２の略Ｕ字形断面の新設部品収納空間が形成される。
上記新設本体枠１１の第２下部水平部１２と第２傾斜部１４と第２上部水平部１３とには、横幅Ｗ３の複数の踏段１９が無端状に連結されて敷設されている。これら踏段１９には夫々前輪２０と後輪２１とが軸支されており、前輪２０と後輪２１は前記新設本体枠１１に設けた支持部材２３や前記横材１７に固定したガイドレール２４，２５上を走行するように構成されている。
これらガイドレール２４，２５の往路側は、無端状に連結された踏段１９が、前記新設本体枠１１の第２下部水平部１２−第２傾斜部１４−第２上部水平部１３とに略沿って下部水平区間−凹曲線区間−傾斜区間−凸曲線区間−上部水平区間を形成するように、敷設されており、帰路側も略同様な区間を形成するように敷設されている。
一方、前記踏段１９の敷設方向に沿ってその両側に一対の欄干２６が配置されている。この欄干２６は、前記新設本体枠１１の上辺材１８ａに支持部材２７を介して下部を支持された例えばガラスパネル等からなる欄干パネル２８と、この欄干パネル２８の周縁を往路側として移動可能に案内された移動手摺２９と、前記踏段１９と欄干パネル２８の下部間を覆う内デッキカバー３０及びスカートガード３１と、欄干パネル２８の下部外側を覆う外デッキカバー３２とより構成されている。尚、３３はスカートガード３１を固定するために縦材１８ｃに設けた支持部材である。
前記欄干パネル２８の周縁を往路側とした移動手摺２９の帰路側は、前記欄干パネル２８の下方において前記縦材１８ｃに固定された案内具３４によって案内されている。
前記移動手摺２９を移動させるための手摺駆動装置３５は、第１図に示すように、新設本体枠１１の第２上部水平部１３で前記既設本体枠１の第１傾斜部４の上部に対向する位置に設置されている。第１図のＩＩ−ＩＩ線部では第２図に示すように、既設枠体１の第１傾斜部４と新設枠体１１の第２傾斜部１４との高低差がｈ３寸法であるが、その上側では第１図，第３図に示すようにさらに大きな高低差ｈ４寸法が存在し、この高低差ｈ４寸法が最大となる位置、云い代えれば二つの上辺材９ａ，１８ａの夾角部の最大開口寸法部近傍に対向して前記手摺駆動装置３５が設置されている。
この手摺駆動装置３５は、側枠１５Ａ，１５Ｂの縦材１８ｃあるいは上辺材１８ａに支持され上辺材１８ａに設けた切欠部１８ｄを越えて垂直に設置された支持枠３６と、この支持枠３６の下部に設けた固定軸３７に軸支され一体化されて回転する第１スプロケット３８及び第２スプロケット３９と、前記支持枠３６の上部に設けた複数の固定軸４０に夫々軸支され一体化されて回転する第３スプロケット４１及び駆動ローラ４２と、前記支持枠３６の固定軸３７，４０間に固定された縦軸４３と、この縦軸４３に案内されて上下方向にのみ可動する可動枠４４と、この可動枠４４の前記駆動ローラ４２と対向する位置に軸支されて自由回転し前記駆動ローラ４２との間で前記移動手摺２９の帰路側を挟圧する従動ローラ４５と、前記第２スプロケット３９と第３スプロケット４１間に巻掛けられたチェーン４６とで構成されている。
そして、このように構成された手摺駆動装置３５の動力は、新設枠体１１の上部水平部１３内に設置された図示しない駆動機からの駆動チェーン４７を前記第１スプロケット３８に巻掛けて得ている。即ち、駆動チェーン４７からの動力により回転する第１スプロケット３８は第２スプロケット３９を回転させ、第２スプロケット３９の回転はチェーン４６を介して第３スプロケット４１を回転させ、第３スプロケット４１と同軸の駆動ローラ４２を回転させることにより、この駆動ローラ４２と従動ローラ４５とで挟圧されている移動手摺２９を回転方向に移動させるのである。
上記のように、既設本体枠１内に新設エスカレーターの主要構成部品が収納された後、前記側枠７Ａ，７Ｂの外側に側部外装板４８を取付けて上部を前記外デッキカバー３２にまで延在させ、さらに、両側の側部外装板４８の下部間を底部外装板４９で覆うことにより、横幅Ｗ４の新設のエスカレーターの設置が完了する。
上記構成において、手摺駆動装置３５の保守点検作業や部品交換作業を行う際は、新設本体枠１１の内側と外側の両側から行うことができるので、その作業は容易に行うことができる。即ち、新設本体枠１１の外側からの作業は、新設本体枠１１の横外幅Ｗ２と側部外装板４８の横幅Ｗ４との横幅差（Ｗ４−Ｗ２）と、既設本体枠１と新設本体枠１１との高低差ｈ４とで形成される空間Ｑ（第３図参照）を利用して行う。具体的には、手摺駆動装置３５に対向する位置の側部外装板４８を取外して新設本体枠１１を露出させる。次に、新設本体枠１１の縦材１８ｃ間から裏側に手を伸ばして作業工具を差し入れて固定軸３７，４０を取外し、第１スプロケット３８及び第２スプロケット３９や第３スプロケット４１及び駆動ローラ４２を分解して保守作業や交換作業を行うのである。
また、新設本体枠１１の内側からの作業は、従来と同じように、手摺駆動装置３５に接近しているスカートガード３１を取外して行うのである。
その結果、新設本体枠１１の両側から二人の作業者によって行うことができるので、その作業は正確となり、かつ短時間に行うことができる。したがって、従来のように、スカートガード３１を取外しただけの狭い空間での保守作業等はなくなり、保守作業や交換作業は簡単となる。
また、新設本体枠１１は、既設本体枠１の傾斜角度よりも大きくしていることから、全長も既設本体枠１も短くなり、その結果、既設本体枠１を改造することなく、新設本体枠１１を無理なく既設本体枠１に組込むことができるので、据付性は容易となる。
ところで、既設本体枠１が傾斜部４のＸ部で長手方向に接合されていることは上述の通りであるが、既設本体枠１の側枠７Ａ，７Ｂの内側には、第４図の２点鎖線で示すように、上辺材９ａを接合するためのＬ型鋼等の既設接合部材５０がｍ寸法内側に突出してボルト５１等の締結手段で締結されている。しかし、既設本体枠１の横内幅Ｗ１内にｍ寸法の突出物があると、構外幅Ｗ２の新設本体枠１１を収納するのに障害となる。
そこで、本発明による実施の形態では、新設エスカレーターを設置するに先立ち、既設接合部材５０を取外し、代わりに、接合すべき隣接上辺材９ａの上面に跨って新設接合部材５２を配置させ、Ｒ，Ｓ部を溶接により、あるいはボルト５１等の接合手段で接合する構成にする。このようにすれば、新設本体枠１１の収納に障害となる突出物はなくなる。
また、本発明の実施の形態によれば、第５図に示すように、新設本体枠１１と既設本体枠１との間に複数の支持体を設けている。詳しく説明すると、新設本体枠１１の側枠１５Ｂ（１５Ａ）に、長手方向に沿って適宜の間隔をおいて第１支持体５３と第２支持体５６とを備えている。この第１支持体５３は、縦材１８ｃに溶接して取付けた支持具５４と、この支持具５４に上方から下向きにねじ込まれ先端を既設本体枠１の上辺材９ａの上面に当接したジャッキボルト５５とからなり、第２支持体５６は、新設本体枠１１の縦材１８ｃに内側から水平方向にねじ込まれ先端を既設本体枠１の上辺材９ａの側面に当接したジャッキボルトからなる。
上記のような第１支持体５３と第２支持体５６とを設けることにより、第１支持体５３によって新設エスカレーターの縦荷重Ｋ１を、また第２支持体５６によって新設エスカレーターの横荷重Ｋ２を、夫々既設本体枠１で受けて新設エスカレーターの強度を確保すると共に、既設本体枠１に対して新設本体枠１１の傾斜角度を一定に保持することができる。
したがって、上記第１支持体５３及び第２支持体５６の設置間隔を密にすれば、新設本体枠１１の撓みや捩じれ強度はより大きくなるので、新設本体枠１１の構成材料の断面積を小さくしても全体の強度は確保でき、その結果、新設エスカレーターの軽量化を図ることができる。
ところで、上記実施の形態は、傾斜角度θ１が３０°の既設本体枠１に、傾斜角度θ２が３５°の新設本体枠１１を組込んで新設エスカレーターを設置したものであるが、例えば、傾斜角度θ１が２５°で設置された既設エスカレーターを傾斜角度θ２が３０°の新設エスカレーターに変える場合にも本発明が適用できることは勿論である。
さらに、上記実施の形態は、エスカレーターについての説明であるが、上下階に跨って設置され踏面に段差がない傾斜型電動道路にも本発明は適用できる。
以上説明したように本発明によれば、既設の乗客コンベアの既設本体枠を利用して設置しても手摺駆動装置の保守点検作業を容易に行うことができ、また、据付性に優れた乗客コンベアを得ることができる。
【図面の簡単な説明】
第１図は本発明による乗客コンベアの一実施の形態としてのエスカレーターを示す外力側面図、
第２図は第１図のＩＩ−ＩＩ線に沿う拡大断面図、
第３図は第１図の手摺駆動装置の拡大正面図、
第４図は既設本体枠の一部を示す斜視図、
第５図は既設本体枠と新設本体枠との関係を示す一部縦断正面図。
【図１】
0004000774.tif 000002
【図２】
0004000774.tif 000003
【図３】
0004000774.tif 000004
【図４】
0004000774.tif 000005
【図５】
0004000774.tif 000006